(57)【要約】【課題】  アクセスの制限があるＨＤＤから印刷データを印刷する場合、印刷された媒体にコピー禁止などの情報が付加されていないと孫コピーされる恐れがある。【解決手段】  アクセスの制限があるＨＤＤの印刷データを印刷する場合は、自動的にコピー禁止情報を付加する構成をもつ。【選択図】  図７
2011065335.tif 000002
【特許請求の範囲】
【請求項１】
ネットワーク上のホストコンピュータからの指示により出力を行うプリントシステムにおいて、
画像形成装置に接続される外部通信手段、
前記外部装置から画像データを入力する入力手段、
前記入力手段から入力された画像データをラスタ画像データに展開する展開手段、
前記展開手段によって展開された画像を記憶する記憶手段、
前記記憶手段に記憶された画像データを表示するか否かを管理する管理手段、
画像処理装置に対する認証および出力する画像データを選択するための指示手段、
前記画像データの情報を表示する表示手段、
を有し、前記画像データに対してネットワーク上のホストコンピュータから前記記憶手段にアクセスするためのアクセス権をもち、アクセス権の制限がある前期記憶装置のデータを印刷する場合はコピー禁止情報を自動で印刷媒体に付加することを特徴とするプリントシステム。
【請求項２】
前記画像形成装置において、前記画像データに対してネットワーク上のホストコンピュータから前記記憶手段にアクセスするためのアクセス権をもち、アクセス権の制限を設定するグループ管理者と前記画像データを前記記憶装置に格納した文書管理者以外のグループユーザは、自動で印刷媒体にコピー禁止情報を付加し、前記グループ管理者と前記文書管理者は、印刷媒体にコピー禁止情報を付加するかどうかを選択することができることを特徴とする請求項１に記載のプリントシステム。
【発明の詳細な説明】
【技術分野】
【０００１】
本発明は、デジタル複写機に接続された画像処理システムに関するものである。
【背景技術】
【０００２】
近年のデジタル複合機には記憶装置が装着されており、スキャナで読込んだ印刷データやホストコンピュータからの印刷データをデジタル複合機の記憶装置に格納することができる。また記憶装置をグループや個人の格納領域としても使うことができ、認証することでユーザが所属するグループや個人の格納領域のみを閲覧できるようにしセキュリティを高めている。これらの認証が必要な格納領域のデータを印刷する場合、印刷媒体に対して何もセキュリティがかけられていない。そのために悪意のある他のユーザが印刷媒体をコピーし複製する恐れがある。データ自体を印刷するときに、認証が必要な場合は紙媒体自体にもセキュリティを高める必要がある。
【０００３】
特開2000-196786に記載の「画像処理装置」では、電子化されているデータを紙等に印刷した場合、著作権を有するデータである場合には印刷物のコピーに制限を加えている。
【先行技術文献】
【特許文献】
【０００４】
【特許文献１】特開2000-196786号公報
【発明の概要】
【発明が解決しようとする課題】
【０００５】
しかし、著作権のあるデータ以外をプリントした場合はコピー禁止情報を紙媒体に付加することができない。また、記憶装置のデータが著作権を有さないデータであっても記憶装置のアクセスに認証を必要とするデータであればセキュリティを重要視しなければならない。
【課題を解決するための手段】
【０００６】
本発明のデジタル複合機は、デジタル複合機の記憶装置に各ユーザに応じてアクセス制限がある場合、アクセス制限がある格納領域の管理者または文書管理者であればコピー禁止情報を付加するかどうかの選択ができる。それ以外のユーザであればコピー禁止情報を自動的に付加するようにしている。
【発明の効果】
【０００７】
以上のように本発明では画像形成装置のアクセス制限がある記憶装置のデータを印刷した場合、他のユーザが印刷媒体をさらに印刷できないようにコピー禁止情報を付加することによって印刷媒体に高い安全性を保つことができる。
【図面の簡単な説明】
【０００８】
【図１】本発明の一実施形態に係る画像形成システムの全体構成図である。
【図２】同実施形態に係る画像形成装置１０のハードウエア全体を示す構成図。
【図３】画像形成装置１００１を構成する画像入出力デバイスを示す概要図である。
【図４】画像形成装置１００１を構成する画像入出力デバイスの操作部１２０の構成を示す概要図である。
【図５】同実施形態の画像形成装置のデータをプリントする概念図。
【図６】同実施形態の画像形成装置のデータをプリントする概念図２。
【図７】同実施形態の画像形成装置のデータをプリントするフローチャート。
【図８】同実施形態の画像形成装置のデータをプリントするフローチャート２。
【発明を実施するための形態】
【０００９】
以下、図面を参照して、本発明の実施形態について説明する。
【実施例１】
【００１０】
図１は、本発明の画像形成装置を中心としたシステム構成図である。
【００１１】
図中の１０は画像形成装置、２０はホストコンピュータで、１０,２０は、５０のローカルエリアネットワーク(ＬＡＮ)で接続される。
【００１２】
次に画像形成装置１０について詳細に説明する。
【００１３】
図２は、画像形成装置１０とホストコンピュータ２０の関係を示す簡略した構成図を示している。画像形成装置１０は、ＣＰＵ１１００、ＲＡＭ１１１０、ＲＯＭ１１２０、ＨＤＤ１１３０、ＬＡＮＣ１２００、操作部１５００を備えており、これらすべてはシステムバス１０００に接続されている。
【００１４】
操作部Ｉ／Ｆ１５００は、操作部１４０とのインターフェース部であり、操作部１４０に表示する画像データを操作部１４０に対して出力する。また、操作部１４０から本システム使用者が入力した情報を、ＣＰＵ１１００に伝える役割をする。尚、以上のデバイスがシステムバス１０００上に配置される。
【００１５】
イメージバスＩ／Ｆ１６００は、システムバス１０００と画像データを高速で転送する画像バス１３００とを接続し、データ構造を変換するバスブリッジである。また、画像バス１３００上には以下のデバイスが配置される。
【００１６】
ＲＩＰ（ラスターイメージプロセッサ）１７００はＰＤＬコードをビットマップイメージに展開する。デバイスＩ／Ｆ１４００は、画像入出力デバイスであるスキャナ１２０やプリンタ１３０とコントローラユニット１００を接続する。そして、画像データの同期系／非同期系の変換を行う。スキャナ画像処理部１７１０は、入力画像データに対し補正、加工または編集を行う。プリンタ画像処理部１７２０は、プリント出力画像データに対して、プリンタの補正、解像度変換等を行う。画像回転部１７３０は画像データの回転を行う。画像圧縮部１７４０は、多値画像データはＪＰＥＧで、二値画像データはＪＢＩＧ、ＭＭＲまたはＭＨで圧縮伸長処理する。
【００１７】
図３は、画像形成装置１０を構成する画像入出力デバイスを示す概要図である。図３に示すように、画像入力デバイスであるスキャナ１２０は、原稿となる紙上等に形成された画像を照明し、不図示のＣＣＤラインセンサを走査することで、ラスターイメージデータとして電気信号に変換する。原稿用紙はドキュメントフィーダ１１０のトレイ１１１にセットし、装置使用者が操作部１４０から読み取り起動指示する。そして、コントローラユニット１００におけるＣＰＵ１１００がスキャナ１２０に指示を与え、ドキュメントフィーダ１１０は原稿用紙を１枚ずつフィードして原稿画像の読み取り動作を行う。
【００１８】
また、ドキュメントフィーダ１１０には、後述する自動用紙選択モードを実現するために必要な原稿サイズ検知センサ（図示せず）が設置されており、セットされた原稿のサイズを検知することができる。
【００１９】
一方、画像出力デバイスであるプリンタ１３０は、ラスターイメージデータを用紙等の媒体上に画像形成する部分である。その方式は感光体ドラムや感光体ベルトを用いた電子写真方式、微少ノズルアレイからインクを吐出して用紙上等に直接画像を印字するインクジェット方式等があるが、本実施形態ではどの方式であっても構わない。プリント動作の起動は、コントローラユニット１００におけるＣＰＵ１１００からの指示によって開始する。
【００２０】
プリンタ１３０には、異なる用紙サイズ又は異なる用紙方向を選択することができるように複数の給紙段を持つ。それに対応した用紙カセット１６１、１６２，１６３、１６４がある。また、排紙トレイ１７０は印字し終わった用紙を受けるものである。
【００２１】
図４は、画像形成装置１０を構成する画像入出力デバイスの操作部１４０の構成を示す概要図である。操作部１４０において、ＬＣＤ表示部１４１は、ＬＣＤ上にタッチパネルシートが貼られている。システムの操作画面を表示するとともに、表示されているタッチキーが押されるとその位置情報をコントローラユニット１００におけるＣＰＵ１１００に伝える。スタートキー１４２は、原稿画像の読み取り動作を開始する場合等に用いる。スタートキー１４２中央部には、例えば、緑と赤の２色のＬＥＤ１４３があり、その色によってスタートキー１４２が使える状態にあるかどうかを示す。ストップキー１４４は稼働中の動作を止める働きをする。ＩＤキー１４５は、使用者のユーザＩＤを入力する時に用いる。リセットキー１４６は、操作部１４０からの設定を初期化する時に用いる。
【００２２】
画像形成装置１０のＨＤＤ１１３０のデータをプリントする場合、ユーザは操作部１５００で認証を行い、ユーザ自身が所属しているＨＤＤ１１３０のデータの一覧を確認できる。ユーザが印刷するデータを選択し、そのデータがユーザの所属するグループ内のデータであった場合、印刷媒体にコピー禁止情報を添付し、印刷媒体のコピーを禁止する。
【００２３】
図５に同実施形態の画像形成装置のデータをプリントする概念図を示す。ＨＤＤ１１３０には、アクセスの制限がない領域１１３１、アクセスの制限がある領域１１３２、未使用領域１１３３がある。アクセスの制限がない印刷データを印刷した場合はコピー禁止情報を付加せずに印刷する。そのコピー禁止情報を付加していない印刷媒体１８１０である。アクセス制限のある印刷データを印刷した場合はコピー禁止情報を付加し印刷する。そのコピー禁止情報を付加した印刷媒体が１８２０である。
【００２４】
図７に画像形成装置１０のアクセス制限がある記憶装置からデータをプリントするフローを示す。
【００２５】
本フローは、ユーザによってＵＩ画面もしくはＰＣ画面で画像形成装置１０のＨＤＤ１１３０の情報を閲覧し、画像形成装置１０のＨＤＤ１１３０のデータを印刷するフローを示している。
【００２６】
Ｓ１００１は、画像形成装置１０のＨＤＤ１１３０のデータがアクセス制限のある格納領域に格納されているかどうかを判断する。もし、アクセスしたデータがアクセス制限のあるデータであればＳ１００２に進み、印刷時にコピー禁止情報を付加して印刷を行う。アクセス制限のないデータであればＳ１００３に進みそのまま印刷する。
【実施例２】
【００２７】
図６は認証後のユーザの権限レベルを示している。アクセス権の制限がある格納領域には、格納領域の管理者（ユーザＡ）が存在しユーザＡは最も権限が高い。格納領域に文書を管理している文書管理者は、ユーザＢはユーザＡよりも権限が低い。ユーザＣは、格納領域管理者や文書管理者ではない一般のユーザである。アクセス制限のある印刷データを印刷しようとした場合、ユーザＡはコピー禁止情報を付加するかどうかの選択ができる。ユーザＢはユーザＢ自身が格納した印刷データであればコピー禁止情報を付加するかどうかの選択ができ、他のユーザの印刷データであればコピー禁止情報を自動で付加される。ユーザＣはアクセス制限のある格納領域の印刷データを印刷しようとした場合、自動でコピー禁止情報が付加される。
【００２８】
図８に画像形成装置１０のアクセス制限がある記憶装置からデータをプリントするフローを示す。
【００２９】
Ｓ２００１では、画像形成装置１０のＨＤＤ１１３０のデータがアクセス制限のある格納領域に格納されているかどうかを判断する。もし、アクセスしたデータがアクセス制限のあるデータであればＳ２００２に進み、ユーザがグループの管理者であるか文書管理者であるかを判断する。アクセスしたデータがアクセス制限のあるデータでなければＳ２００４に進み印刷を行う。もしユーザがグループの管理者か文書管理者であればＳ２００３に進み、コピー禁止情報を付加して印刷するかどうかの選択を操作部１４０で選択させ印刷をおこなう。ユーザがグループの管理者または文書管理者でなければＳ２００５に進み、印刷時にコピー禁止情報を付加して印刷を行う。
【符号の説明】
【００３０】
１０  画像形成装置
２０  ホストコンピュータ
５０  ローカルエリアネットワーク
１００  コントローラユニット
１１０  ドキュメントフィーダ
１１１  トレイ
１２０  スキャナ
１３０  プリンタ
１４０  操作部
１４１  ＬＣＤ表示部
１４２  スタートキー
１４３  赤と緑の２色のＬＥＤ
１４４  ストップキー
１４５  ＩＤキー
１４６  リセットキー
１６１,１６２,１６３,１６４  用紙カセット
１７０  排紙トレイ
１０００  システムバス
１１００  ＣＰＵ
１１１０  ＲＡＭ
１１２０  ＲＯＭ
１１３０  ＨＤＤ
１１３１  ＨＤＤのアクセス制限なしの格納領域
１１３２  ＨＤＤのアクセス制限ありの格納領域
１１３３  ＨＤＤの未使用領域
１２００  ＬＡＮＣ
１３００  画像バス
１４００  デバイスI/F
１５００  操作部I/F
１６００  イメージバスI/F
１７００  ＲＩＰ
１７１０  スキャナ画像処理部
１７２０  プリンタ画像処理部
１７３０  画像回転部
１７４０  画像圧縮部
１８００  印刷データ
１８１０  印刷媒体
１８２０  コピー禁止情報が付加された印刷媒体
【図１】
2011065335.tif 000003
【図２】
2011065335.tif 000004
【図３】
2011065335.tif 000005
【図４】
2011065335.tif 000006
【図５】
2011065335.tif 000007
【図６】
2011065335.tif 000008
【図７】
2011065335.tif 000009
【図８】
2011065335.tif 000010